(57)【特許請求の範囲】
【請求項１】
１つ又は複数の医療消耗品を収容し前記医療消耗品の種類に応じて大きさの異なる消耗品ボックス毎に区画された複数の収納スペースを有し、互いの収納面が略垂直となるように隣接して配置された２つの収納棚と、前記２つの収納棚それぞれに設けられ、対応する各収納スペースに前記消耗品ボックスが収納された一方の前記収納棚の収納面を撮影するカメラと、を備えた医療現場に配設される消耗品専用棚と、
所定の通信手段を介して撮影された前記収納面の画像を受信し、前記画像に含まれる前記各消耗品ボックスに予め付された複数の色彩の組み合わせから構成されるカラー識別コードを用いて、前記消耗品専用棚における前記消耗品ボックス毎の在庫数を判別し、使用された分を補充する新たな消耗品ボックスを、前記消耗品専用棚が設置された医療現場に発送するための発注処理を遂行する在庫管理サーバと、
を有することを特徴とする在庫管理システム。
【請求項２】
前記カメラは、前記収納スペースを区画する仕切り部材に固定して設けられるとともに、前記収納棚の上下方向に配列される複数の収納スペースに対し、前記収納面全体を予め設定された前記上下方向の撮影エリアで撮影する複数台のカメラで構成され、
前記在庫管理サーバは、予め設定された前記撮影エリアで重複する領域を除いた特定の各撮影領域内の前記カラー識別コードを識別して前記消耗品ボックス毎の在庫数を判別することを特徴とする請求項１に記載の在庫管理システム。
【請求項３】
前記消耗品専用棚は、一方の前記収納棚に対して他方の前記収納棚が可動するように設けられ、未使用時に互いの前記収納面が向き合うように開閉することを特徴とする請求項１又は２に記載の在庫管理システム。
【請求項４】
前記在庫管理サーバは、前記消耗品専用棚の各収納スペースに収納可能な前記消耗品ボックスの数が予め規定された在庫管理情報を記憶する記憶部を備え、
前記在庫管理サーバは、前記カラー識別コードを用いて判別された前記消耗品専用棚における前記消耗品ボックス毎の在庫数と前記在庫管理情報とに基づいて、前記発注処理を遂行することを特徴とする請求項１から３のいずれか１つに記載の在庫管理システム。
【発明の詳細な説明】
【技術分野】
【０００１】
本発明は、医療消耗品の在庫管理システムに関する。
【背景技術】
【０００２】
グローブやマスク、紙コップ、紙エプロンなどの医療消耗品は、医療スタッフが在庫管理を行い、必要に応じて業者に発注していた。しかしながら、在庫管理のコスト軽減や在庫切れを防止するために、過剰在庫を抱えることが多く、かつ医療消耗品に対する収納スペースの確保も問題となっていた。
【０００３】
特に、複数の異なる収納場所に消耗品在庫が置かれていたり、消耗品を収納した消耗品ボックスが山積みされていると、在庫管理に手間が掛かる。つまり、在庫として院内に保管される消耗品の収納スペースが一元管理されていないと、医療スタッフが在庫状況を把握し難いため、在庫管理の負担を軽減できない。
【０００４】
一方で、医療消耗品は、種類に応じてそれぞれ大きさや形状が異なるため、複数の消耗品を収納する消耗品ボックスの大きさも異なる。このため、例えば、単に棚を用意しただけでは、複数種類の消耗品（大きさの異なる複数の消耗品ボックス）を効率的に収納することができず、また、消耗品ボックスを単に棚に収納するだけでは、在庫状況の把握が煩雑となり、かつ収納スペースの効率化が図れない。
【０００５】
また、棚に収納された消耗品の在庫管理を行う手法として、例えば、特許文献１に記載のものがある。しかしながら、特許文献１のように棚に対して個別のカメラを設置すると、棚の配置場所の自由度が低くなり、配線スペースやカメラの設置場所の確保も必要となる。特に、レイアウトの異なる院内毎に、カスタマイズされた個別の棚やカメラを設置することは現実的ではなく、コストが高くなる。
【先行技術文献】
【特許文献】
【０００６】
【特許文献１】特開２０１２−１７４１５４号公報
【発明の概要】
【発明が解決しようとする課題】
【０００７】
そこで、本発明の目的は、医療消耗品が収容され各消耗品ボックスの大きさに応じて区画された複数の収納スペースを有する専用の消耗品収納棚を用い、簡易な構成で在庫管理を行うことができる在庫管理システムを提供することにある。
【課題を解決するための手段】
【０００８】
本願発明である在庫管理システムは、１つ又は複数の医療消耗品を収容し医療消耗品の種類に応じて大きさの異なる消耗品ボックス毎に区画された複数の収納スペースを有し、互いの収納面が略垂直となるように隣接して配置された２つの収納棚と、２つの収納棚それぞれに設けられ、対応する各収納スペースに消耗品ボックスが収納された一方の収納棚の収納面を撮影するカメラと、を備えた医療現場に配設される消耗品専用棚と、所定の通信手段を介して撮影された収納面の画像を受信し、画像に含まれる各消耗品ボックスに予め付された複数の色彩の組み合わせから構成されるカラー識別コードを用いて、消耗品専用棚における消耗品ボックス毎の在庫数を判別し、使用された分を補充する新たな消耗品ボックスを消耗品専用棚が設置された医療現場に発送するための発注処理を遂行する在庫管理サーバと、を有する。
【０００９】
本願発明によれば、医療消耗品を収容した複数の消耗品ボックス毎に対応する収納スペースが設置された専用棚によって、消耗品の一元管理が可能となるとともに、効率的に消耗品ボックスを収納することができる。そして、消耗品専用棚が、互いの収納面が略垂直となるように隣接して配置された２つの収納棚で構成されているので、複数の消耗品ボックスの収納スペースを確保できるとともに、在庫状況を把握するために収納面を撮影するカメラを、一方の収納棚から他方の収納棚の収納面を撮影するように各収納棚に設けることができる。したがって、カメラを消耗品専用棚に対して別構成にしたり、カメラの移動手段等を設けることなく、各消耗品ボックスに予め付された複数の色彩の組み合わせから構成されるカラー識別コードを含む収納面の画像を撮影し、簡易な構成で、在庫管理を行うことができる。
【００１０】
このように、簡易な構成で消耗品を効率良く収納しつつ在庫の一元管理を行うことができ、日々使用される消耗品の在庫切れ及び過剰在庫を抑制しつつ、コストが低くかつ各医療現場の環境（設置スペース）に関係なく汎用性の高い在庫管理システムを提供することができる。
【００１１】
また、カメラは、収納スペースを区画する仕切り部材に固定して設けることができる。このとき、カメラは、収納棚の上下方向に配列される複数の収納スペースに対し、収納面全体を予め設定された上下方向の撮影エリアで撮影する複数台で構成することができる。そして、在庫管理サーバは、予め設定された撮影エリアで重複する領域を除いた特定の各撮影領域内のカラー識別コードを識別して消耗品ボックス毎の在庫数を判別することができる。このように構成することで、カメラを消耗品専用棚に対して別構成としたり、カメラの移動手段等を設けることなく、上下方向に配列される各収納スペースに収納された消耗品ボックスをもれなく撮影できる。また、予め設定された撮影エリアに対して重複する領域を除いた各特定領域のカラー識別コードを認識するので、複数の収納スペースを有する消耗品専用棚内の各消耗品ボックスの存在を精度良く判定することができるとともに、消耗品ボックスの在庫数が重複してカウントされることが抑制され、消耗品ボックスの在庫数を効率良く把握することができる。
【００１２】
消耗品専用棚は、一方の収納棚に対して他方の収納棚が可動するように設けることができ、未使用時に互いの収納面が向き合うように開閉するように構成することができる。このように構成することで、消耗品専用棚の設置スペースの効率化を図ることができる。つまり、未使用時には扉を閉めるように棚を閉状態にして収納スペースに収納される各消耗品ボックスを適切に保管しつつ、設置スペースの効率化を図ることができ、使用時には扉を開けるように開状態にして消耗品を取り出すことができる。
【００１３】
在庫管理サーバは、消耗品専用棚の各収納スペースに収納可能な消耗品ボックスの数が予め規定された在庫管理情報を記憶する記憶部を備えることができる。そして、カラー識別コードを用いて判別された消耗品専用棚における消耗品ボックス毎の在庫数と在庫管理情報とを用いて、使用された分の消耗品ボックスを消耗品専用棚が設置された医療現場に発送するための発注処理を遂行することができる。このように構成することで、医療消耗品の在庫切れと過剰在庫を抑制した在庫管理が可能となる。
【図面の簡単な説明】
【００１４】
【図１】第１実施形態の在庫管理システムのネットワーク構成例を示す図である。
【図２】第１実施形態の消耗品専用棚の外観斜視図であり、（ａ）が開状態、（ｂ）が閉状態を示す図である。
【図３】第１実施形態の消耗品ボックスの一例を示す図である。
【図４】第１実施形態の消耗品ボックスのマスタ情報（ａ）と、在庫管理情報（ｂ）の一例を示す図である。
【図５】第１実施形態の複数の消耗品ボックスが収容された消耗品専用棚の一例を示す図であり、（ａ）が消耗品専用棚を構成する第１専用棚の収納状態、（ｂ）が第２専用棚の収納状態を示す図である。
【図６】第１実施形態の消耗品専用棚に設けられるカメラ装置、制御装置及び制御装置に接続されるＵＳＢキー（外部記憶媒体）の構成ブロック図である。
【図７】第１実施形態の在庫管理サーバの構成ブロック図である。
【図８】第１実施形態の収納面が略９０度で隣接して配置される第１専用棚及び第２専用棚それぞれから互いに他方の収納面を撮影するカメラ装置の構成例である。
【図９】第１実施形態の第１専用棚の収納面を撮影する第２専用棚に設けられたカメラ装置の位置及び撮影エリアの関係と、各カメラ装置で撮影される画像内の認識エリアを示す図である。
【図１０】第１実施形態の第２専用棚の収納面を撮影する第１専用棚に設けられたカメラ装置の位置及び撮影エリアの関係と、各カメラ装置で撮影される画像内の認識エリアを示す図である。
【図１１】第１実施形態の消耗品専用棚の撮影制御の処理フローを示す図である。
【図１２】第１実施形態のネットワークを介した消耗品専用棚の撮影画像のアップロードの処理フローと在庫管理サーバの制御フローを示す図である。
【発明を実施するための形態】
【００１５】
以下、実施形態につき、図面を参照して説明する。
【００１６】
（第１実施形態）
図１から図１２は、第１実施形態を示す図である。図１は、本実施形態の消耗品専用棚を用いた在庫管理システムのネットワーク構成図である。
【００１７】
本実施形態の在庫管理システムは、顧客であるユーザの歯科医院等の院内の医療現場に、消耗品専用棚１００が設置される。消耗品専用棚１００には、消耗品の種別毎に用意された専用の消耗品ボックスＢが、仕切り部材１０１によって棚割された各収納スペースＳに収納されている。
【００１８】
ユーザは、医療活動等において消耗品を日々消費し、医療現場において消耗品ボックスＢから消耗品を取り出し、空になった消耗品ボックスＢは消耗品専用棚１００から撤去する。ユーザは、撮影スイッチＳＷを押下し、消耗品ボックスＢが露出する各棚の収納面Ｐ１，Ｐ２をカメラ装置１１０，１２０で撮影する。ユーザは、撮影された各収納面Ｐ１，Ｐ２の画像（在庫管理画像Ｆ）を外部記憶媒体５０に記憶して院内のユーザ自身のコンピュータ装置７０から在庫管理サーバ２００に送信（アップロード）する。
【００１９】
在庫管理サーバ２００では、ネットワークＮを介して受信した在庫管理画像Ｆを解析して消耗品専用棚１００に収納されている消耗品ボックスＢの在庫数を消耗品の種別毎に把握する。このとき、消耗品ボックスＢには、消耗品の種別毎にカラー識別コードＣが付されており、在庫管理画像Ｆ内のカラー識別コードＣを解析することで、各消耗品ボックスＢを判別し、消耗品専用棚１００における消耗品ボックスＢの在庫数を把握することができる。
【００２０】
在庫管理サーバ２００は、把握された現時点の消耗品専用棚１００内の消耗品ボックスＢの在庫数に基づいて、消費された消耗品に対する発注処理を行い、発注指示を受けた配達員（又は配達業者）よって補充用の消耗品ボックスＢが該当する医院に配達される。医療スタッフは、補充された消耗品ボックスＢを消耗品専用棚１００に収納して保管する。
【００２１】
図２は、本実施形態の消耗品専用棚１００の外観斜視図である。消耗品専用棚１００は、２つの専用棚１００Ａと専用棚１００Ｂとで構成されている。図２（ａ）に示すように、専用棚１００Ａと専用棚１００Ｂとは、互いの収納面Ｐ１，Ｐ２が略９０度（略垂直）となるように隣接して配置され、例えば、専用棚１００Ａに対して専用棚１００Ｂが９０度開きに開閉可能に設けられている。
【００２２】
本実施形態の消耗品専用棚１００は、一方の専用棚に対して他方の専用棚が可動するように設けられ、図２（ｂ）に示すように、専用棚１００Ｂが専用棚１００Ａに対して略９０度開きの開状態（使用形態）から、互いの収納面Ｐ１，Ｐ２が向かい合ってＹＺ平面で一致するように、専用棚１００Ａに対して専用棚１００Ｂを可動させて閉状態（保管形態）にすることができる。
【００２３】
専用棚１００Ａは、横幅（Ｙ方向長さ）Ｗ１、奥行き（Ｘ方向長さ）Ｄ１、高さ（Ｚ方向長さ）Ｈの収納棚であり、高さ方向において仕切り部材１０１が所定の間隔を空けて複数配置されている。仕切り部材１０１は、高さ方向において横幅Ｗ１及び奥行きＤ１を有する複数の収納スペースＳを形成する。
【００２４】
専用棚１００Ｂは、横幅（Ｘ方向長さ）Ｗ２、奥行き（Ｙ方向長さ）Ｄ２、高さ（Ｚ方向長さ）Ｈの収納棚であり、専用棚１００Ａと同様に、高さ方向において仕切り部材１０１が所定の間隔を空けて複数配置されている。仕切り部材１０１によって専用棚１００Ｂには、横幅Ｗ２及び奥行きＤ２を有する複数の収納スペースＳが複数形成されている。
【００２５】
なお、図２等では、専用棚１００Ａと専用棚１００Ｂの横幅が同じであり、奥行きが異なる（Ｄ１＞Ｄ２）態様を例示しているが、奥行きが同じ大きさであってもよく、専用棚１００Ａと専用棚１００Ｂの各横幅、奥行き、高さは、任意に設定することができる。
【００２６】
使用形態において消耗品専用棚１００は、略Ｌ字状に専用棚１００Ａと専用棚１００Ｂとが位置する。略Ｌ字状に配置された状態の専用棚１００Ａと専用棚１００Ｂ全体は、Ｙ方向において専用棚１００Ａの横幅Ｗ１と専用棚１００Ｂの奥行きＤ２とを加算した長さとなり、Ｘ方向において専用棚１００Ｂの横幅Ｗ２と専用棚１００Ｂの奥行きＤ１とを加算した長さとなる。
【００２７】
一方、保管状態（未使用時）において消耗品専用棚１００は、図２（ｂ）に示すように、専用棚１００Ａ及び専用棚１００Ｂの互いの収納面Ｐ１，Ｐ２が向かい合って位置し、専用棚１００Ａに対して専用棚１００Ｂが折り畳まれ、全体として角型の柱形状になる。このとき、専用棚１００Ａと専用棚１００Ｂ全体は、Ｙ方向において横幅Ｗ１の長さで、Ｘ方向において専用棚１００Ａの奥行きＤ１と専用棚１００Ｂの奥行きＤ２とを加算した長さとなる。
【００２８】
このように本実施形態の消耗品専用棚１００は、未使用時には扉を閉めるように２つの収納棚を閉状態にして各収納スペースＳに収納される消耗品ボックスＢを適切に保管しつつ、設置スペースの効率化を図ることができ、使用時には扉を開けるように２つの収納棚を略Ｌ字状の開状態にして消耗品（消耗品ボックスＢ）を取り出すことができる。
【００２９】
各専用棚１００Ａ，１００Ｂは、それぞれ仕切り部材１０１によって、複数の収納スペースＳが形成されるが、本実施形態の収納スペースＳは、収納される消耗品ボックスＢの大きさと収納スペースＳに収納される消耗品ボックスＢの数に応じて形成されている。
【００３０】
図３は、消耗品ボックスＢの一例を示す図である。本実施形態の消耗品ボックスＢは、消耗品の種類別の収納ケースであり、複数の消耗品が収納される。消耗品ボックスＢは、図３に示すように、横幅ｗ、縦幅ｄ、高さｈを有する箱体であり、横幅ｗ及び縦幅ｄは、収納スペースの横幅Ｗ１，Ｗ２、奥行きＤ１，Ｄ２に対応している。すなわち、専用棚１００Ａに収納される消耗品ボックスＢ１は、横幅がＷ１、縦幅がＤ１となるように形成することができる。また、専用棚１００Ｂに収納される消耗品ボックスＢ２は、横幅がＷ２、縦幅がＤ２となるように形成することができる。
【００３１】
このように専用棚１００Ａ，１００Ｂそれぞれの収納スペースＳに収納される消耗品ボックスＢ１，Ｂ２の横幅及び縦幅を、専用棚１００Ａ，１００Ｂの横幅及び奥行きに応じて形成することで、横幅が仕切り部材１０１と略平行になるように専用棚１００Ａ，１００Ｂの各収納スペースＳに効率良く収納することができる。
【００３２】
なお、消耗品ボックスＢの高さｈは、消耗品の種類毎に異なる高さを有するように形成することができる。例えば、グローブやマスク、紙コップ、紙エプロンなどの消耗品は、それぞれ大きさが異なり、また、消耗品ボックスＢ内に収納される消耗品の数も異なる。そこで、消耗品ボックスＢは、収納される複数の消耗品毎に高さｈが異なる大きさに形成することができる。
【００３３】
ここで、収納スペースＳと消耗品ボックスＢとの関係について説明する。本実施形態では、１つ又は複数の消耗品を収容し、消耗品の種類に応じて大きさの異なる消耗品ボックスＢに対して専用の各収納スペースＳが設けられるように、消耗品専用棚１００が構成されている。
【００３４】
図４（ａ）は、消耗品ボックスＢのマスタ情報の一例を示す図である。消耗品ボックスＢは、ボックスＩＤ、カラー識別コード、消耗品名、ボックス内数量、単価、大きさ（横×縦×奥行き）を予め規定することができる。
【００３５】
ボックス内に収容される消耗品の数（収容数）は、ボックス内の収容体積と消耗品の大きさに応じて設定することができるが、上述したように、各消耗品ボックスＢの大きさは、収納スペースＳの横幅と奥行きと同一の寸法に形成されるので、消耗品の収容数と消耗品の大きさに応じて、消耗品ボックスＢの高さｈを決定することができる。
【００３６】
そして、過去の消耗品の使用履歴（週単位、月単にあたりの消耗品使用数など）を考慮し、一種類の消耗品の消耗品ボックスＢを消耗品専用棚１００にいくつ収納するかを決定することができる。このため、図４（ｂ）に示すように、１つの消耗品専用棚１００に対して各消耗品ボックスＢを収納できる数、すなわち、上限の在庫数を予め設定することができる。
【００３７】
収納スペースＳは、１つの消耗品専用棚１００に対する各消耗品ボックスの上限の在庫数に応じて形成することができ、例えば、消耗品ボックスＢを５つ収納するように消耗品専用棚１００の上限の在庫数が設定されている場合、消耗品ボックスＢを収納する収納スペースＳの高さが、消耗品ボックスＢの高さｈを５倍した高さとなるように、仕切り部材１０１を配置して１つの収納スペースＳを形成するように配置することができる。
【００３８】
このように消耗品ボックスＢの上限の在庫数と収納スペースＳとが対応関係にあり、消耗品専用棚１００に収納する消耗品ボックスＢの数を決定して収納スペースＳを形成することができる。消耗品専用棚１００の各収納スペースＳは、各消耗品ボックスＢの高さｈと収納する数に応じてＺ方向高さが異なる大きさに形成され、大きさの異なる消耗品ボックスＢ毎に特定の収納スペースＳが割り当てられるように、仕切り部材１０１が配置される。なお、予め決定された収納スペースＳの高さに対して収納可能な消耗品ボックスＢの数を上限の在庫数として設定するように構成することもできる。
【００３９】
図５は、複数の消耗品ボックスＢが収納された消耗品専用棚１００の一例を示す図である。図５（ａ）は、専用棚１００Ａに複数の消耗品ボックスＢが収納された一例であり、仕切り部材１０１で高さ方向に区切られた複数の収納スペースＳそれぞれに、複数の消耗品ボックスＢ（Ｂ１１〜Ｂ１６）が収納される。各収納スペースＳには、１種類の消耗品の消耗品ボックスＢが複数収納される。なお、収納スペースＳに１つの消耗品ボックスＢを収納してもよい。この場合、収納スペースＳのＺ方向高さは、消耗品ボックスＢの高さｈと略同一の大きさに形成される。
【００４０】
また、上述したように、消耗品ボックスＢの横幅及び奥行きは、専用棚１００Ａの横幅及び奥行きと同一に形成されるので、収納スペースＳに収納されている状態で、消耗品ボックスＢの前面ｆｓは、専用棚１００Ａの収納面Ｐ１と同じ平面内又は収納面Ｐ１よりも内側に位置しており、消耗品ボックスＢの前面ｆｓが収納面Ｐ１よりも外側に突出しないように構成されている。なお、収納面Ｐ１とは、消耗品ボックスＢの前面ｆｓが露出する棚前面であり、消耗品ボックスＢを出し入れする作業面である。
【００４１】
同様に、図５（ｂ）は、専用棚１００Ｂに複数の消耗品ボックスＢが収納された一例であり、仕切り部材１０１で高さ方向に区切られた複数の収納スペースＳそれぞれに、複数の消耗品ボックスＢ（Ｂ２１〜Ｂ２７）が収納される。各収納スペースＳには、１種類の消耗品の消耗品ボックスＢが１つ又は複数収納される。また、消耗品ボックスＢの横幅及び奥行きは、専用棚１００Ｂの横幅及び奥行きと同一に形成され、収納スペースＳに収納されている状態で、消耗品ボックスＢの前面ｆｓは、専用棚１００Ｂの収納面Ｐ２と同じ平面内又は収納面Ｐ２よりも内側に位置している。消耗品ボックスＢの前面ｆｓが収納面Ｐ２よりも外側に突出しないように専用棚１００Ｂに収納されている。収納面Ｐ２は、専用棚１００Ｂに収納される消耗品ボックスＢの前面ｆｓが露出する棚前面であり、消耗品ボックスＢを出し入れする作業面である。
【００４２】
なお、図１に示したように、消耗品ボックスＢ（Ｂ１）は、収納スペースＳに対して縦置きで収納することもできる。この場合、消耗品ボックスＢの縦幅ｄを、収納スペースの奥行きＤ１と同じ大きさに形成しつつ、横幅ｗを収納スペースＳのＺ方向高さに応じた大きさに形成することができる。専用棚１００Ｂについても同様である。
【００４３】
また、１つの消耗品ボックスＢに、複数種類の消耗品を収容することもできる。例えば、セットで使用される複数種類の消耗品セットが１つの消耗品ボックスＢに収容されるように構成することもできる。
【００４４】
本実施形態の消耗品専用棚１００は、医療消耗品を収容した複数の消耗品ボックスＢ毎に対応する収納スペースＳが複数設置され、専用棚１００Ａ，１００Ｂに効率良く消耗品ボックスＢを収納することができるとともに、消耗品の収納場所を専用棚で一元管理することが可能となる。
【００４５】
また、消耗品ボックスＢには、消耗品の種類毎の区分される各消耗品ボックスＢを一意に識別するためのカラー識別コードＣが設けられている。図３に示すように、カラー識別コードＣは、消耗品ボックスＢの前面ｆｓに設けられ、消耗品ボックスＢの前面ｆｓに印刷やシール等による貼り付けによって設けることができる。また、図５の例で示すように、各消耗品ボックスＢは、カラー識別コードＣが付される前面ｆｓが収納面Ｐ１，Ｐ２と略同じ平面内に位置するように、専用棚１００Ａ，１００Ｂ内に収納されている。
【００４６】
カラー識別コードＣは、図３に示すように、複数の色彩の組み合わせによって構成することができ、例えば、所定の領域を有する色彩ブロックを複数並べて形成することができる。各色彩ブロックは、赤、緑、青などの色が付され、異なる色の色彩ブロックの並び順（同一色の並びを含む）で色彩ブロックを複数配列することで、複数の消耗品ボックスＢそれぞれを一意に識別できるようにしている。
【００４７】
図４（ａ）に示した消耗品ボックスＢのマスタ情報には、各消耗品ボックスＢを識別するために予め複数の色彩の組み合わせが決められたカラー識別コードＣが設定されており、色彩の組み合わせ（色彩ブロックの配列順）が各消耗品ボックスで異なるように設定されている。
【００４８】
本実施形態では、消耗品ボックスＢが露出する各棚の収納面Ｐ１，Ｐ２をカメラ装置１１０，１２０で撮影し、撮影された収納面Ｐ１，Ｐ２の画像（在庫管理画像Ｆ）を在庫管理サーバ２００で解析することで、在庫管理機能を提供する。
【００４９】
図６は、本実施形態の消耗品専用棚１００に設けられるカメラ装置１１０，１２０、制御装置３０及び制御装置３０に接続されるＵＳＢキー（外部記憶媒体）５０の構成ブロック図である。
【００５０】
消耗品専用棚１００の各専用棚１００Ａ，１００Ｂそれぞれには、カメラ装置１１０，１２０が設けられる。カメラ装置１１０，１２０は、仕切り部材１０１に設けることができる。このとき、カメラ装置１１０，１２０は、仕切り部材１０１にカメラ装置１１０，１２０の収容空間を形成して仕切り部材１０１内部に一体的に設けたり（図５参照）、仕切り部材１０１の上面又は下面側に設けることができる（図１参照）。
【００５１】
カメラ装置１１０は、専用棚１００Ａに設けられ、発光部１１２及び受光部１１３を含むフォトセンサ１１１、２つの撮影部１１４，１１５、フラッシュ１１６及び制御部１１７を含んで構成される。撮影部１１４，１１５それぞれは、撮影レンズ及びＣＣＤセンサ、ＣＭＯＳセンサ等の撮像素子、シャッター等を備え、撮像素子に結像された撮像データは、Ａ／Ｄ変換されて出力される。本実施形態では、１つのカメラ装置１１０に、２つの独立した撮影部（カメラ機能）が設けられており、独立した２つの撮影画像を取得することが可能となっている。カメラ装置１２０も同様の構成である。
【００５２】
制御部１１７は、撮影部１１４，１１５の撮影動作や撮影動作に伴うフラッシュ１１６の発光動作を制御する。制御部１１７は、制御装置３０によって制御される。また、カメラ装置１１０は、フォトセンサ１１１を備えており、制御部１１７によって制御される。フォトセンサ１１１は、発光部１１２から発せられる光が他方の専用棚１００Ｂに反射した光を受光部１１３で受光し、専用棚１００Ａ，１００Ｂが閉じていないか否か、すなわち、収納面Ｐ１，Ｐ２が撮影条件（略９０度開きの使用形態となっているなど）を満たす状態であるか否かを判別するために用いられる。他方の専用１００Ｂには、フォトセンサ１１１に対応して所定の位置に反射板等を設けることができる。なお、フォトセンサ１１１は、カメラ装置１１０とは別構成で、専用棚１００Ａに設けてもよい。また、カメラ装置１１０，１２０の少なくとも一方に設け、他のカメラ装置がフォトセンサ１１１を備えない構成であってもよい。
【００５３】
そして、本実施形態では、各専用棚１００Ａ，１００Ｂに対して各々２つずつのカメラ装置１１０Ａ，１１０Ｂ、１２０Ａ，１２０Ｂが設けられ、各カメラ装置で収納面Ｐ１，Ｐ２（仕切り部材１０１によって区切られて高さ方向に並ぶ複数の収納スペースＳ）を撮影する。カメラ装置１１０，１２０で収納面Ｐ１，Ｐ２を撮影する詳細な構成については、後述する。
【００５４】
制御装置３０は、カメラ装置１１０Ａ，１１０Ｂ、１２０Ａ，１２０Ｂそれぞれと接続ケーブルを介して接続される。制御装置３０は、例えば、専用棚１００Ｂの取手部に設けたり、専用棚１００Ａ，１００Ｂの周囲の任意の場所に設けることができる。
【００５５】
制御装置３０は、カメラ装置１１０，１２０の撮影制御を行う制御部３１と、撮影画像を記憶するメモリ３２、アダプタ３３、音声出力部３４、及び音声出力部３４に接続されるスピーカー３５を備えている。アダプタ３３は、外部記憶媒体であるＵＳＢキー５０の接続部と接続される接続インターフェースである。
【００５６】
また、制御装置３０は、専用棚１００Ｂの周囲に設けられる撮影スイッチＳＷと接続されている。撮影スイッチＳＷは、ユーザによって押下されるスイッチであり、制御装置３０は、ユーザによる撮影スイッチＳＷの押下を契機に、カメラ装置１１０，１２０に撮影指示信号を出力して収納面Ｐ１，Ｐ２の撮影を行わせるように制御する。
【００５７】
ＵＳＢキー５０は、制御装置３０のアダプタ３３と接続される接続部５１、撮影された画像を記憶するメモリ５２、バッテリ５３及びバッテリ５３への充電を行う充電回路５４が設けられる。本実施形態では、ＵＳＢキー５０が制御装置３０に接続されている状態で、収納面Ｐ１，Ｐ２の撮影が可能となるように制御される。カメラ装置１１０，１２０及び制御装置３０は、ＵＳＢキー５０のバッテリ５３から供給される電力を用いて駆動し、ＵＳＢキー５０が制御装置３０に接続されていない状態では、電力が供給されない状態（未起動状態）となる。
【００５８】
制御装置３０は、カメラ装置１１０，１２０によって撮影された収納面Ｐ１，Ｐ２の各撮影画像を、ＵＳＢキー５０に出力し、メモリ５２に記憶させる。このとき、消耗品専用棚１００の個体識別情報などを合わせてメモリ５２に記憶させることができる。
【００５９】
図７は、本実施形態の在庫管理サーバ２００の構成ブロック図である。在庫管理サーバ２００は、消耗品専用棚１００が設置される医院のコンピュータ装置７０とインターネット等のネットワークＮを介して接続される。ネットワークＮは、有線又は無線のネットワークであってもよく、専用回線であってもよい。
【００６０】
ユーザは、コンピュータ装置７０にＵＳＢキー５０を接続することで、コンピュータ装置７０から在庫管理サーバ２００に、撮影された収納面Ｐ１，Ｐ２の画像（在庫管理画像Ｆ）をアップロード（送信）することができる。在庫管理サーバ２００は、コンピュータ装置７０との間の通信制御を行う通信部２０１、制御部２０２、記憶部２０３、及び表示制御部２０４の各部を備えている。
【００６１】
記憶部２０３には、図４で示した消耗品ボックスマスタ情報や在庫管理情報などが予め記憶されている。なお、受信する在庫管理画像と共に、消耗品専用棚１００の個体識別情報や消耗品専用棚１００が設置される医院の識別情報をコンピュータ装置７０から受信することができ、記憶部２０３には、これらの識別情報を予め記憶しておくことができる。在庫管理サーバ２００は、識別情報を用いて受信した在庫管理画像に対応する消耗品専用棚（ユーザ）を識別することができる。
【００６２】
在庫管理サーバ２００の制御部２０２は、受信した在庫管理画像を解析して消耗品ボックスＢのカラー識別コードＣを抽出し、消耗品専用棚１００に収納されている消耗品ボックスの個数（在庫数）を算出する。具体的には、制御部２０２は、図４（ｂ）のマスタ情報を参照し、抽出されたカラー識別コードＣとマッチングし、消耗品ボックスＢ毎にその個数を把握する。
【００６３】
そして、図４（ｂ）に示すように、予め設定されている消耗品ボックスの上限在庫数（消耗品専用棚１００に収納される各消耗品ボックスの収納数）と、在庫管理画像Ｆから把握された現時点での消耗品専用棚１００の各消耗品ボックスＢの在庫数と、の差分を算出する。この差分が、消費された消耗品ボックスＢの数となり、制御部２０２は、消耗された分を補充するために、差分値が１以上の消耗品ボックスＢを対象に差分値を発注数として発注処理を行う。
【００６４】
制御部２０２は、各消耗品ボックスＢの発注数と送り先の医院の住所等を含む発注指示情報を生成して、ＦＡＸや電子メール等の通信手段を介して配達を行う部署や倉庫に送信する。発注指示情報を受け取った配達員は、消耗品が充填された消耗品ボックスＢを送り先の医院に配達する。
【００６５】
なお、予め設定されている消耗品ボックスＢの上限在庫数と、在庫管理画像Ｆから把握された現時点での消耗品専用棚１００の各消耗品ボックスＢの在庫数との差分値を発注数として発注処理を行う一例を挙げて説明したが、例えば、差分値が所定数未満の場合は発注処理を行わずに、所定数以上になった時点で２以上の消耗品ボックスＢを医院に配達するように構成してもよい。
【００６６】
また、在庫管理サーバ２００は、消耗品ボックスＢの発注処理に伴って、ユーザに対する請求処理や倉庫等に保管される消耗品ボックスＢ（消耗品を含む）の製造指示などの消耗品提供者側の在庫管理処理を行うことができる。
【００６７】
次に、カメラ装置１１０，１２０の撮影エリアと収納面Ｐ１，Ｐ２との関係について詳細に説明する。図８は、収納面Ｐ１，Ｐ２が略９０度で隣接して配置される専用棚１００Ａ，１００Ｂそれぞれから互いに他方の収納面Ｐ１，Ｐ２を撮影するカメラ装置１１０，１２０の構成例を示す図である。
【００６８】
専用棚１００Ａに設けられたカメラ装置１１０は、他方の専用棚１００Ｂの収納面Ｐ２が撮影エリアとして設定されており、一点鎖線で示すように、撮影部１１４，１１５は、ＸＹ平面において収納面Ｐ２が撮影方向として設定されている。同様に、専用棚１００Ｂに設けられたカメラ装置１２０は、他方の専用棚１００Ａの収納面Ｐ１が撮影エリアとして設定されており、一点鎖線で示すように、撮影部１１４，１１５は、ＸＹ平面において収納面Ｐ１が撮影方向として設定されている。
【００６９】
なお、図８に示すように、カメラ装置１１０は、専用棚１００Ｂと略９０開きで接続される端部とは逆側の端部の、一番遠い位置に設けられ、撮影部１１４，１１５がＹ方向に並ぶように設けられている。カメラ装置１２０も同様であり、専用棚１００Ａと略９０開きで接続される端部とは逆側の端部の、一番遠い位置に設けられ、撮影部１１４，１１５がＸ方向に並ぶように設けられている。このように構成することで、撮影部１１４，１１５のＸＹ平面における画角を大きくしなくても、略９０度で直交する互いの収納面Ｐ１，Ｐ２を他方の専用棚から漏れなく撮影することができる。
【００７０】
図９は、専用棚１００Ａの収納面Ｐ１を撮影する専用棚１００Ｂに設けられたカメラ装置１２０の位置及び撮影エリアの関係と、カメラ装置１２０Ａ，１２０Ｂで撮影される画像内の認識エリアを示す図である。
【００７１】
図９（ａ）に示すように、カメラ装置１２０は、専用棚１００Ｂにおいて、Ｚ方向に離間して配置される２つのカメラ装置１２０Ａ，１２０Ｂで構成することができる。カメラ装置１２０Ａの撮影部１１４，１１５それぞれは、Ｚ方向に延びる専用棚１００Ａの収納面Ｐ１対して異なる撮影エリアが設定され、例えば、カメラ装置１２０Ａが設置される位置に対して撮影部１１４がＺ方向上方、撮影部１１５がその下方を撮影エリアとして設定されている。
【００７２】
このとき、図９の二点鎖線で示すようにＺ方向上下において撮影部１１４と撮影部１１５の各撮影エリアの一部が重複している。これは、各撮影部１１４，撮影部１１５の撮影エリアが、Ｚ方向に延びる専用棚１００Ａの収納面Ｐ１に対して予め設定された隣接する認識エリアＲ１，Ｒ２を中心として設定されているためである。
【００７３】
つまり、図９（ｂ）に示すように、Ｚ方向に延びる専用棚１００Ａの収納面Ｐ１に対して予め設定された収納スペースＳの認識エリアＲ１，Ｒ２を設定し、設定された認識エリアＲ１に対して撮影部１１４の上下方向の撮影エリアを設定し、設定された認識エリアＲ２に対して撮影部１１５の上下方向の撮影エリアを設定する。
【００７４】
同様に、カメラ装置１２０ＡよりもＺ方向下方に設けられるカメラ装置１２０Ｂの撮影部１１４，１１５それぞれは、Ｚ方向に延びる専用棚１００Ａの収納面Ｐ１に対して異なる撮影エリアが設定され、例えば、カメラ装置１２０Ｂが設置される位置に対して撮影部１１４がＺ方向上方、撮影部１１５がその下方を撮影エリアとして設定されている（図９（ａ）の二点鎖線参照）。各撮影部１１４，撮影部１１５の撮影エリアは、カメラ装置１２０Ａの認識エリアＲ２に対してＺ方向下方に隣接する認識エリアＲ３，Ｒ４を中心として設定されている。
【００７５】
図９（ｂ）に示すように、Ｚ方向に延びる専用棚１００Ａの収納面Ｐ１に対して予め設定された収納スペースＳの認識エリアＲ１，Ｒ２，Ｒ３，Ｒ４が設定され、Ｚ方向上方から順に各認識エリアＲ１，Ｒ２，Ｒ３，Ｒ４が隣接して設定されている。カメラ装置１２０Ｂは、隣接する認識エリアＲ３，Ｒ４を中心とした撮影エリアそれぞれが形成されるように、専用棚１００Ｂに設けられている。
【００７６】
このように本実施形態では、カメラ装置１２０Ａ，１２０Ｂそれぞれの撮影部１１４，１１５の撮影エリアが、Ｚ方向に延びる専用棚１００Ａの収納面Ｐ１に対して予め設定された収納スペースＳの認識エリアＲ１，Ｒ２，Ｒ３，Ｒ４を中心としてそれぞれ決定されており、各収納スペースＳに収納されている消耗品ボックスＢ（カラー識別コードＣ）を撮影する。
【００７７】
そして、在庫管理サーバ２００（制御部２０２）は、カメラ装置１２０Ａ，１２０Ｂそれぞれで撮影された在庫管理画像Ｆに含まれるカラー識別コードＣをすべて解析するのではなく、各カメラ装置１２０Ａ，１２０Ｂ及びこれらの各撮影部１１４，１１５で撮影された４つの在庫管理画像Ｆにおいて、対応する認識エリア内のカラー識別コードＣのみを解析し、撮影エリアが重複する領域や認識エリア外の領域のカラー識別コードＣは解析しないようにする。
【００７８】
このように予め設定された撮影エリア（画角）に対して重複する領域を除いた認識エリアＲの特定領域におけるカラー識別コードＣを認識することで、例えば、撮影エリアの縁側で画質が低下するなどによってカラー識別コードＣの判別精度が低下することを抑制でき、収納スペースＳの消耗品ボックスＢの存在を精度良く判定することができる。
【００７９】
また、各認識エリアが重複していないので、各在庫管理画像Ｆにおいて重複して消耗品ボックスＢを判別（カウント）することが防止でき、収納スペースＳの消耗品ボックスＢの在庫数を効率良く把握することができる。
【００８０】
なお、各カメラ装置１２０Ａ，１２０Ｂ及びこれらの各撮影部１１４，１１５で撮影された４つの在庫管理画像Ｆと収納スペースＳの各認識エリアＲ１，Ｒ２，Ｒ３，Ｒ４（認識エリアに相当する在庫管理画像Ｆ内の領域）との対応マップは、予め記憶部２０３に記憶しておくことができる。
【００８１】
図１０は、専用棚１００Ｂの収納面Ｐ２を撮影する専用棚１００Ａに設けられたカメラ装置１１０の位置及び撮影エリアの関係と、カメラ装置１１０Ａ，１１０Ｂで撮影される画像内の認識エリアを示す図である。
【００８２】
図１０（ａ）に示すように、カメラ装置１１０は、専用棚１００Ａにおいて、Ｚ方向に離間して配置される２つのカメラ装置１１０Ａ，１１０Ｂで構成することができる。カメラ装置１１０Ａの撮影部１１４，１１５それぞれは、Ｚ方向に延びる専用棚１００Ｂの収納面Ｐ２対して異なる撮影エリアが設定され、例えば、カメラ装置１１０Ａが設置される位置に対して撮影部１１４がＺ方向上方、撮影部１１５がその下方を撮影エリアとして設定されている。
【００８３】
そして、図９の例と同様に、Ｚ方向に延びる専用棚１００Ｂの収納面Ｐ２に対して予め設定された収納スペースＳの隣接する認識エリアＲ５，Ｒ６が設定され、設定された認識エリアＲ５に対して撮影部１１４のＺ方向の撮影エリアが設定され、設定された認識エリアＲ６に対して撮影部１１５のＺ方向の撮影エリアが設定されている。
【００８４】
カメラ装置１１０ＡよりもＺ方向下方に設けられるカメラ装置１１０Ｂの撮影部１１４，１１５それぞれも同様であり、Ｚ方向に延びる専用棚１００Ｂの収納面Ｐ２に対して異なる撮影エリアが設定され、例えば、カメラ装置１１０Ｂが設置される位置に対して撮影部１１４がＺ方向上方、撮影部１１５がその下方を撮影エリアとして設定されている。各撮影部１１４，撮影部１１５の撮影エリアは、カメラ装置１１０Ａの認識エリアＲ６よりもさらにＺ方向下方の認識エリアＲ７，Ｒ８を中心として設定されている。
【００８５】
図１０（ｂ）に示すように、Ｚ方向に延びる専用棚１００Ｂの収納面Ｐ２に対して予め設定された収納スペースＳの認識エリアＲ５，Ｒ６，Ｒ７，Ｒ８が、Ｚ方向上方から順に隣接して設定されている。カメラ装置１１０Ｂは、認識エリアＲ７，Ｒ８を中心とした撮影エリアそれぞれが形成されるように、専用棚１００Ａに設けられている。
【００８６】
本実施形態の在庫管理システムは、医療消耗品を収容した複数の消耗品ボックスＢ毎に対応する収納スペースＳが設置された専用棚１００Ａ，１００Ｂによって、消耗品の在庫の一元管理が可能となるとともに、効率的に複数の各消耗品ボックスＢを収納することができる。
【００８７】
そして、消耗品専用棚１００が、互いの収納面Ｐ１，Ｐ２が略垂直となるように隣接して配置された２つの収納棚で構成されているので、複数の消耗品ボックスＢの収納スペースを確保できるとともに、在庫状況を把握するために収納面Ｐ１，Ｐ２を撮影するカメラを、一方の収納棚から他方の収納棚の収納面を撮影するように各収納棚に設けることができる。したがって、カメラを消耗品専用棚１００に対して別構成にしたり、カメラの移動手段等を設けることなく、各消耗品ボックスＢに予め付された複数の色彩の組み合わせから構成されるカラー識別コードＣを含む収納面の画像を撮影し、簡易な構成で、在庫管理を行うことができる。
【００８８】
また、撮影画像内の各消耗品ボックスＢを識別するコードは、バーコードや文字などのコード情報ではなく、カラー識別コードを用いているので、撮影画像内に存在する消耗品ボックスＢを精度良く判別することができる。つまり、バーコード等のコード情報では、撮影画像の解像度が低い（画質が悪い）と、記号や文字等を精度良く認識できないが、カラー識別コードの場合、色彩の配列を識別すればよいので、撮影画像の解像度が低くても、撮影画像内に存在する消耗品ボックスＢを精度良く判別することができる。
【００８９】
このように、消耗品専用棚１００を用いた本実施形態の在庫管理システムは、簡易な構成で消耗品を効率良く収納しつつ在庫の一元管理を行うことができ、日々使用される消耗品の在庫切れ及び過剰在庫を抑制することができる。コストが低くかつ各医療現場の環境（設置スペース）に関係なく汎用性の高い在庫管理システムが実現される。
【００９０】
図１１は、本実施形態の消耗品専用棚１００の撮影制御の処理フローを示す図であり、制御装置３０によって遂行される。図１１に示すように、制御装置３０は、ＵＳＢキー５０がアダプタ３３に接続され、かつバッテリ５３から電力が供給可能な状態であるか否かを判別する（Ｓ１０１）。
【００９１】
制御装置３０は、ＵＳＢキー５０がアダプタ３３に接続されている状態を確認した後に、カメラ装置１１０，１２０の撮影制御を開始する（Ｓ１０２）。制御装置３０は、消耗品専用棚１００に設けられた撮影スイッチＳＷがユーザによって押下されたか否かを判別し（Ｓ１０３）、撮影スイッチＳＷが押下されたと判別された場合、制御装置３０は、フォトセンサ１１１による撮影前確認を行う（Ｓ１０４）。
【００９２】
例えば、カメラ装置１１０に設けられたフォトセンサ１１１で、発光部１１２から他方の専用棚１００Ｂに向けて発せられた光が反射した光を受光部１１３で受光する。フォトセンサ１１１の検出結果（例えば、距離）に基づいて、専用棚１００Ａ，１００Ｂが閉じておらず、収納面Ｐ１，Ｐ２が略９０度開きの使用形態となっている撮影条件を満たすか否かを確認する。なお、撮影条件として、フォトセンサ１１１による障害物の有無も含めるように構成してもよい。
【００９３】
制御装置３０は、撮影前確認処理において撮影条件を満たさないと判別された場合（Ｓ１０５，ＮＯ）、音声出力部３４に、撮影条件を満たさない旨の音声ガイド（音声出力処理）を行う指示を出力する。音声出力部３４は、例えば、「棚が開ききっていないか、撮影エリアに障害物があります。棚の開状態や障害物がないことを確認してから再度撮影スイッチを押してください」などの音声データを再生し、スピーカー３５から出力する（Ｓ１０９）。なお、音声ガイド用の音声データは、メモリ３２に予め記憶しておくことができる。
【００９４】
一方、撮影条件を満たすと判別された場合（Ｓ１０５，ＹＥＳ）、制御装置３０は、ステップＳ１０６に進み、カメラ装置１１０，１２０に撮影指示を出力する。このとき、音声出力部３４が、「撮影を行います。撮影中は、棚を動かさないでください。」の音声ガイドを出力するように構成することができる。
【００９５】
制御装置３０は、各カメラ装置１１０，１２０による撮影終了後、撮影を終了するかを判別する。例えば、ステップＳ１０６における撮影中にフォトセンサ１１１で専用棚１００Ａ，１００Ｂが動いたか否かを検出し、棚が動いたことが検出された場合（Ｓ１０７，ＮＯ）、制御装置３０は、撮影が失敗したものとして、音声出力部３４による「撮影に失敗しました。棚が開いていることを確認して再度撮影ボタンを押してください。」の音声ガイドを行うように制御し、ステップＳ１０３に戻る。このとき、制御装置３０は、カメラ装置１１０，１２０で撮影された撮影画像がメモリ３２に一時保存されている場合には消去することができる。
【００９６】
ステップＳ１０７において、ステップＳ１０６における撮影中に棚が動いていないと検出された場合、制御装置３０は、撮影が成功したものとして、各カメラ装置１１０，１２０から取得される撮影画像をメモリ３２に記憶するとともに、ＵＳＢキー５０のメモリ５２に撮影画像を記憶させる保存処理を遂行する（Ｓ１０８）。このとき、制御装置３０は、撮影成功に伴い、「撮影が完了しました。ＵＳＢキーを抜いて下さい」などの音声ガイドを行うように、音声出力部３４を制御することができる。
【００９７】
図１２は、本実施形態のネットワークＮを介した消耗品専用棚１００の撮影画像のアップロードの処理フローと在庫管理サーバ２００の制御フローを示す図である。
【００９８】
図１２に示すように、ユーザは、図１１に示した消耗品専用棚１００の撮影処理後に、撮影された各収納面Ｐ１，Ｐ２の画像（在庫管理画像Ｆ）が記憶されたＵＳＢキー５０を院内のユーザ自身のコンピュータ装置７０に接続する（Ｓ３０１，ＹＥＳ）。
【００９９】
コンピュータ装置７０は、ユーザの入力操作に基づいて在庫管理サーバ２００にアクセスする（Ｓ３０２）。在庫管理サーバ２００は、コンピュータ装置７０からのアクセス要求に基づいて、ネットワークＮを介してコンピュータ装置７０との接続処理を遂行する（Ｓ５０１）。
【０１００】
ユーザは、コンピュータ装置７０を在庫管理サーバ２００に接続した後に、ＵＳＢキー５０に記憶されている撮影された在庫管理画像Ｆを在庫管理サーバ２００にアップロードする（Ｓ３０３）。このとき、在庫管理サーバ２００は、表示制御部２０４を通じて、アップロード処理前の所定の画面を介した認証処理を行ったり、認証処理後に所定のアップロード画面をコンピュータ装置７０に送信することができる。なお、ステップＳ３０１の処理は、ステップＳ５０１の後のアップロード処理に行うようにしてもよい。
【０１０１】
在庫管理サーバ２００は、コンピュータ装置７０から在庫管理画像Ｆを受信すると（Ｓ５０２，ＹＥＳ）、受信した在庫管理画像Ｆを解析する。在庫管理画像Ｆ内のカラー識別コードＣに基づいて各消耗品ボックスＢの存在を判別し、消耗品専用棚１００における消耗品ボックスＢの在庫数を把握する（Ｓ５０３）。
【０１０２】
なお、在庫管理サーバ２００は、在庫管理画像Ｆで消耗品ボックスＢを識別できない場合、所定のエラー処理を行うことができる。例えば、在庫管理画像Ｆ内のカラー識別コードＣが把握できたものの、図４（ａ）に示したマスタ情報に対応するカラー識別コードＣの消耗品ボックスＢが存在しない場合や、在庫管理画像Ｆ内のカラー識別コードＣの判別エラーで消耗品専用棚１００における１つ又は複数の消耗品ボックスＢの在庫数が「０」と把握されてしまった場合は、画像解析エラーとしてコンピュータ装置７０にエラー通知を行うことができる。
【０１０３】
在庫管理サーバ２００は、把握された現時点の消耗品専用棚１００内の消耗品ボックスＢの在庫数に基づいて、例えば、予め設定されている消耗品ボックスの上限在庫数と、在庫管理画像Ｆから把握された現時点での消耗品専用棚１００の各消耗品ボックスＢの在庫数と、の差分を算出し、図４（ｂ）に示すような、在庫数及び発注数などを含む在庫管理情報を生成する（Ｓ５０４）。
【０１０４】
在庫管理サーバ２００は、生成された在庫管理情報に基づいて、各消耗品ボックスＢの現在の在庫数、発注可能数などを含む在庫管理ページを生成し、コンピュータ装置７０に表示させる表示制御を行う（Ｓ５０５，Ｓ３０４）。
【０１０５】
次に、在庫管理サーバ２００は、補充する消耗品ボックスＢを自動発注する設定がユーザによってなされているか否かを確認する（Ｓ５０６）。自動発注に関するユーザ設定情報は、記憶部２０３に予め記憶しておくことができ、ユーザは、在庫管理サーバ２００が提供する所定の設定画面から自動発注等の設定を行うことができる。
【０１０６】
在庫管理サーバ２００は、自動発注であると判別された場合、自動発注数を算出する（Ｓ５０７）。例えば、図４（ｂ）に示した消耗品ボックスの上限在庫数と、在庫管理画像Ｆから把握された現時点での消耗品専用棚１００の各消耗品ボックスＢの在庫数との差分を算出する。算出された差分値が１以上の消耗品ボックスＢを対象に差分値を発注数として算出したり、算出された差分値が予め設定された所定数以上（例えば、差分値が２以上）の消耗品ボックスＢを対象に、差分値以下の任意の数量を発注数として算出することができる。
【０１０７】
一方、自動発注でないと判別された場合（Ｓ５０６，ＮＯ）、在庫管理サーバ２００は、ユーザのコンピュータ装置７０から受信する発注数を確認する（Ｓ５０８）。例えば、ユーザは、ステップＳ３０３で在庫管理ページを参照することができ、在庫管理ページから各消耗品ボックスＢ毎の現在の在庫数と発注可能数を確認し、消耗品ボックスＢ毎に発注数を入力することができる（Ｓ３０５）。在庫管理サーバ２００は、在庫管理ページを介して入力された各消耗品ボックスの発注数を取得することができる。
【０１０８】
在庫管理サーバ２００は、ステップＳ５０７，５０８で算出（確認）された発注数に基づいて、消費された消耗品に対する発注処理を行う（Ｓ５０９）。例えば、各消耗品ボックスＢの発注数と送り先の医院の住所等を含む発注指示情報を生成し、ＦＡＸや電子メール等の通信手段を介して配達を行う部署や倉庫に送信する。在庫管理サーバ２００は、発注処理終了後に、発送通知等をユーザのコンピュータ装置７０に送信する（Ｓ５１０）。
【符号の説明】
【０１０９】
３０：制御装置
５０：ＵＳＢキー（外部記憶媒体）
７０：コンピュータ装置
１００：消耗品専用棚
１００Ａ，１００Ｂ：専用棚
１０１：仕切り部材
１１０，１２０：カメラ装置
Ｂ：消耗品ボックス
Ｃ：カラー識別コード
Ｆ：在庫管理画像
Ｎ：ネットワーク
Ｐ１，Ｐ２：収納面
Ｒ１〜Ｒ８：認識エリア
Ｓ：収納スペース
ＳＷ：撮影スイッチ
【要約】
【課題】消耗品専用棚を利用して簡易な構成で在庫管理を行うことができる在庫管理システムを提供する。
【解決手段】本発明の在庫管理システムは、１つ又は複数の医療消耗品を収容し医療消耗品の種類に応じて大きさの異なる消耗品ボックス毎に区画された複数の収納スペースを有し、互いの収納面が略垂直となるように隣接して配置された２つの収納棚と、２つの収納棚それぞれに設けられ、対応する各収納スペースに消耗品ボックスが収納された一方の収納棚の収納面を撮影するカメラと、を備えた医療現場に配設される消耗品専用棚と、所定の通信手段を介して撮影された収納面の画像を受信し、画像に含まれる各消耗品ボックスに予め付された複数の色彩の組み合わせから構成されるカラー識別コードを用いて、消耗品専用棚における消耗品ボックス毎の在庫数を判別し、使用された分を補充する新たな消耗品ボックスに対する発注処理を遂行する在庫管理サーバとを有する。
【選択図】図１【図１】
0005486726.tif 000002
【図２】
0005486726.tif 000003
【図３】
0005486726.tif 000004
【図４】
0005486726.tif 000005
【図５】
0005486726.tif 000006
【図６】
0005486726.tif 000007
【図７】
0005486726.tif 000008
【図８】
0005486726.tif 000009
【図９】
0005486726.tif 000010
【図１０】
0005486726.tif 000011
【図１１】
0005486726.tif 000012
【図１２】
0005486726.tif 000013